(57)【要約】【課題】建物内のスペースの有効利用を図りつつ、蓄電池のサイズ、数量等設計の自由度を広げることができるユニット建物を得る。【解決手段】隣接する建物ユニット１２と建物ユニット１２間に設けられたスペース１４を蓄電池収納室として利用し、該蓄電池収納室１４内に蓄電池１６が収納されるため、ユニット建物１０内のスペースの有効利用を図ることができ、また、居住スペースを犠牲にしなくて済む。また、建物ユニット１２と建物ユニット１２の間に設けられたスペース１４を蓄電池収納室として利用し、蓄電池１６を収納することで、例えば、一つの建物ユニット１２内で対面する床大梁２６と床大梁２６の間に蓄電池１６を収納する場合と比較して、蓄電池１６のサイズ、数量等設計の自由度を広げることができる。【選択図】図２
2010261225.tif 000002
【特許請求の範囲】
【請求項１】
建物ユニットと建物ユニットの間に設けられたスペースに収納及び配置され、ユニット構造材に支持された蓄電池を有するユニット建物。
【請求項２】
隣接して配置された建物ユニットと建物ユニットの間に形成された鉛直スペースに蓄電池が収納及び配置された請求項１に記載のユニット建物。
【請求項３】
上下に配置された建物ユニットと建物ユニットの間に形成された水平スペースに蓄電池が収納及び配置された請求項１又は２に記載のユニット建物。
【請求項４】
隣接して配置された建物ユニットの梁材と梁材の間に、前記蓄電池を固定する固定手段が設けられ、前記固定手段に該蓄電池を電気的に接続する接続手段が設けられた請求項１〜３の何れか１項に記載のユニット建物。
【請求項５】
前記接続手段が、前記蓄電池の電極と接続されると共に、前記建物ユニットの電気配線と電気的に接続された電気接続部である請求項４に記載のユニット建物。
【請求項６】
隣接して配置された建物ユニットの柱材と柱材の間に、前記蓄電池を固定する固定手段が設けられ、前記固定手段に該蓄電池を電気的に接続する接続手段が設けられた請求項１〜３の何れか１項に記載のユニット建物。
【請求項７】
前記接続手段が、前記蓄電池の電極と接続されると共に、前記建物ユニットの電気配線と電気的に接続された電気接続部である請求項６に記載のユニット建物。
【請求項８】
ワイドスパン工法で、建物ユニットの据え付け時に撤去される仮柱の配置位置に該建物ユニットの高さ方向に収納された蓄電池と、
前記蓄電池の周囲を覆うように後付けされた仕上げ材と、
を有する請求項１〜７の何れか１項に記載のユニット建物。
【請求項９】
前記蓄電池が固定手段を介して建物ユニットを構成する梁材に固定されると共に、前記固定手段と前記蓄電池の間に弾性体が設けられた請求項１〜８の何れか１項に記載のユニット建物。
【発明の詳細な説明】
【技術分野】
【０００１】
本発明は、蓄電池を備えたユニット建物に関する。
【背景技術】
【０００２】
特許文献１には、蓄電池を備えた住宅用の電力蓄蔵システムにおいて、建物ユニット内（床部、壁部、天井部）の内部空間を蓄電池の収納場所として活用する技術が開示されている。具体的には、建物ユニットを構成するユニットフレームの長梁と長梁の間に支承部材が固定され、該支承部材に蓄電池が取付けられている。
【０００３】
つまり、建物ユニット内のデッドスペースを利用して該デッドスペースに蓄電池を配置することで、居住スペースが犠牲にならないようにしている。
【先行技術文献】
【特許文献】
【０００４】
【特許文献１】特許第３９９３３３９号公報
【発明の概要】
【発明が解決しようとする課題】
【０００５】
しかしながら、上記の先行技術による場合、電力貯蔵システムで使用する蓄電池のサイズや配置数量が、ユニット内に納まるサイズ、数量に制限されてしまう。また、ユニットフレームの長梁と長梁の間に支承部材を固定し、該支承部材に蓄電池を取付けるため、既存物件に電力貯蔵システムを追加設定したい場合は、作業が困難である。
【０００６】
本発明は上記事実を考慮し、建物内のスペースの有効利用を図りつつ、蓄電池のサイズ、数量等設計の自由度を広げることができるユニット建物を得ることが目的である。
【課題を解決するための手段】
【０００７】
請求項１に記載の発明は、ユニット建物において、建物ユニットと建物ユニットの間に設けられたスペースに収納及び配置され、ユニット構造材に支持された蓄電池を有している。
【０００８】
建物ユニットと建物ユニットの間に設けられたスペース（例えば、隣接する建物ユニットの梁材と梁材の間や柱材と柱材の間）は、いわゆるデッドスペースとなっているため、請求項１に記載の発明では、このスペースに蓄電池を収納及び配置することで、居住スペースを犠牲にしなくて済む。
【０００９】
また、建物ユニットと建物ユニットの間に設けられたスペースに蓄電池を収納及び配置することで、建物ユニット内に蓄電池を収納及び配置する場合と比較して、蓄電池のサイズ、数量等設計の自由度を広げることができる。
【００１０】
さらに、建物ユニットと建物ユニットの間に設けられたスペースに蓄電池を収納及び配置することで、既存物件に電力貯蔵システムを追加設定したい場合でも、建物ユニットと建物ユニットの間に架け渡された継ぎ板を開放すれば、建物ユニットと建物ユニットの間に設けられたスペースが露出するため、電力貯蔵システムを容易に追加設定することができる。
【００１１】
請求項２に記載の発明は、請求項１に記載のユニット建物において、隣接して配置された建物ユニットと建物ユニットの間に形成された鉛直スペースに蓄電池が収納及び配置されている。
【００１２】
請求項２に記載の発明では、隣接する建物ユニットの柱材と柱材の間に、蓄電池が収納及び配置される。
【００１３】
請求項３に記載の発明は、請求項１に記載のユニット建物において、上下に配置された建物ユニットと建物ユニットの間に形成された水平スペースに蓄電池が収納及び配置されている。
【００１４】
請求項３に記載の発明では、上部に配置された建物ユニットの床材と下部に配置された建物ユニットの天井材の間に、蓄電池が収納及び配置される。
【００１５】
請求項４に記載の発明は、請求項１〜３の何れか１項に記載のユニット建物において、隣接して配置された建物ユニットの梁材と梁材の間に、前記蓄電池を固定する固定手段が設けられ、前記固定手段に該蓄電池を電気的に接続する接続手段が設けられている。
【００１６】
請求項４に記載の発明では、蓄電池を電気的に接続する接続手段が固定手段に設けられているため、該固定手段に蓄電池を固定し、該蓄電池に接続手段を接続させるだけで、蓄電池が電気的に接続される。
【００１７】
請求項５に記載の発明は、請求項４に記載のユニット建物において、前記接続手段が、前記蓄電池の電極と接続されると共に、前記建物ユニットの電気配線と電気的に接続された電気接続部である。
【００１８】
請求項５に記載の発明では、蓄電池の電極を電気接続部に接続させるだけで、蓄電池が建物ユニットの電気配線と電気的に接続される。
【００１９】
請求項６に記載の発明は、請求項１〜３の何れか１項に記載のユニット建物において、隣接して配置された建物ユニットの柱材と柱材の間に、前記蓄電池を固定する固定手段が設けられ、前記固定手段に該蓄電池を電気的に接続する接続手段が設けられている。
【００２０】
請求項６に記載の発明では、蓄電池を電気的に接続する接続手段が固定手段に設けられているため、該固定手段に蓄電池を固定し、該蓄電池に接続手段を接続させるだけで、蓄電池が電気的に接続される。
【００２１】
請求項７に記載の発明は、請求項６に記載のユニット建物において、前記接続手段が、前記蓄電池の電極と接続されると共に、前記建物ユニットの電気配線と電気的に接続された電気接続部である。
【００２２】
請求項７に記載の発明によれば、蓄電池の電極を電気接続部に接続させるだけで、蓄電池が建物ユニットの電気配線と電気的に接続される。
【００２３】
請求項８に記載の発明は、請求項１〜７の何れか１項に記載のユニット建物において、ワイドスパン工法で、建物ユニットの据え付け時に撤去される仮柱の配置位置に該建物ユニットの高さ方向に収納された蓄電池と、前記蓄電池の周囲を覆うように後付けされた仕上げ材と、を有している。
【００２４】
請求項８に記載の発明では、ワイドスパン工法によって、本来撤去される仮柱の配置位置を利用して、仕上げ材を後付けし、該仕上げ材の内部に蓄電池を収納する。
【００２５】
請求項９に記載の発明は、請求項１〜８の何れか１項に記載のユニット建物において、前記蓄電池が固定手段を介して建物ユニットを構成する梁材に固定されると共に、前記固定手段と前記蓄電池の間に弾性体が設けられている。
【００２６】
請求項９に記載の発明では、蓄電池を質量体とし、該蓄電池を弾性的に支持することで、蓄電池をマスダンパとして機能させることができる。
【発明の効果】
【００２７】
以上説明したように、請求項１に記載の発明によれば、建物内のスペースの有効利用を図りつつ、蓄電池のサイズ、数量等設計の自由度を広げることができる。
【００２８】
請求項２に記載の発明によれば、既存物件に電力貯蔵システムを追加設定することができる。
【００２９】
請求項３に記載の発明によれば、既存物件に電力貯蔵システムを追加設定することができる。
【００３０】
請求項４に記載の発明によれば、既存物件に電力貯蔵システムを追加設定したい場合でも、固定手段が設けられている部分を開放するだけで良いため、蓄電池の取付作業が簡単である。
【００３１】
請求項５に記載の発明によれば、既存物件に電力貯蔵システムを追加設定したい場合でも、蓄電池の電気的な接続が容易にできる。
【００３２】
請求項６に記載の発明によれば、既存物件に電力貯蔵システムを追加設定したい場合でも、固定手段が設けられている部分を開放するだけで良いため、蓄電池の取付作業が簡単である。
【００３３】
請求項７に記載の発明によれば、既存物件に電力貯蔵システムを追加設定したい場合でも、蓄電池の電気的な接続が容易にできる。
【００３４】
請求項８に記載の発明によれば、仕上げ材の装飾により、居室スペースのデザイン性が向上する。
【００３５】
請求項９に記載の発明によれば、建物ユニットにおいて、制振機能が得られる。
【図面の簡単な説明】
【００３６】
【図１】本実施の形態に係る建物ユニットを用いたユニット建物の斜視図である。
【図２】本実施の形態に係る建物ユニットを示す図１のＡ−Ａ線に沿った縦断面図であり、蓄電池収納部を示している。
【図３】図２の蓄電池収納部に用いられる、蓄電池の固定金具を示す斜視図である。
【図４】本実施の形態に係る建物ユニット間に収納される蓄電池を固定金具に固定した状態を示す斜視図である。
【図５】（Ａ）、（Ｂ）は、本実施の形態に係る建物ユニット間に収納される蓄電池を固定金具に固定する動作を示す断面図である。
【図６】本実施の形態に係る建物ユニットを用いたユニット建物の変形例を示す斜視図である。
【図７】本実施の形態に係る建物ユニットを示す図６のＢ−Ｂ線に沿った縦断面図である。
【図８】本実施の形態に係る建物ユニットを示す図１のＡ−Ａ線に沿った縦断面図の変形例である。
【図９】本実施の形態に係る建物ユニット間に収納される蓄電池の固定金具の第１変形例を示す斜視図である。
【図１０】本実施の形態に係る建物ユニット間に収納される蓄電池の変形例を示す断面図である。
【図１１】図１０に示す蓄電池の配置方法の一例を示す平断面図である。
【図１２】（Ａ）は、複数の建物ユニットを用いたユニット建物の電気配線を説明する説明図であり、（Ｂ）は、建物ユニット間の電気配線の接続部を示す説明図である。
【図１３】本実施の形態に係る建物ユニット間に収納される蓄電池と建物ユニットの電気配線の接続部を示す、図１２（Ｂ）に対応する説明図である。
【図１４】本実施の形態に係る建物ユニット間の蓄電池収納部の第１変形例を示す平断面図である。
【図１５】図１４の蓄電池収納部に用いられる、蓄電池の固定金具を示す、（Ａ）は平断面図であり、（Ｂ）は側面図である。
【図１６】図１４の蓄電池収納部に用いられる、蓄電池の固定金具の変形例を示す側面図である。
【図１７】本実施の形態に係る建物ユニット間の蓄電池収納部の第２変形例を示す平断面図である。
【発明を実施するための形態】
【００３７】
以下、図１〜図５（Ａ）、（Ｂ）を用いて、本発明に係る建物ユニットの実施形態について説明する。
【００３８】
図１及び図２に示すように（図２は図１のＡ−Ａ断面図である）、ユニット建物１０では、隣接する建物ユニット１２と建物ユニット１２の間にはスペース１４が設けられるが、このスペース１４を、蓄電池１６を収納する蓄電池収納室１４（以下、「スペース１４」を「蓄電池収納室１４」という場合もある）としている。
【００３９】
ここで、各建物ユニット１２は、箱形ユニットとされており、四隅に立設された柱（図示省略)と、柱の上端部同士を連結する天井パネル１８と、柱の下端部同士を連結する床パネル２０と、を含んで構成されている。
【００４０】
天井パネル１８は、溝型鋼で構成された長短二種類の天井大梁２２と、長辺側の天井大梁間に架け渡された天井小梁（図示省略）と、天井小梁の下面側に取り付けられた天井面材２４と、を含んで構成されている。また、床パネル２０は、溝型鋼で構成された長短二種類の床大梁２６と、長辺側の床大梁間に架け渡された床小梁（図示省略）と、床小梁の上面側に取り付けられた床面材２８と、を含んで構成されている。
【００４１】
図３及び図４に示すように、蓄電池収納室１４では、蓄電池１６を支持すると共に固定する板状の固定金具３０が床大梁２６に固定されている。固定金具３０の一端部からは、固定片３２が垂下しており、該固定片３２の両側には、ボルト３４が挿入可能な孔部３６が形成されている。床大梁２６には、この孔部３６に対応して孔部３８が形成されており、ボルト３４及びナット（図示省略）によって、固定片３２を介して固定金具３０が床大梁２６に固定されている。
【００４２】
固定金具３０には電気接続部４０が設けられており、該電気接続部４０には、一階の建物ユニット１２の電気配線と接続された電気配線４２と、二階の建物ユニット１２の電気配線と接続された電気配線４４とがそれぞれ接続されている。
【００４３】
ここで、一階の建物ユニット１２の天井大梁２２と二階の建物ユニット１２の床大梁２６には、電気配線４２、４４を通過させるための挿通孔４５、４６がそれぞれ形成されており、該挿通孔４５、４６を通じて、建物ユニット１２からの電気配線４４、４４が電気接続部４０に接続されている。
【００４４】
なお、この電気接続部４０は、図２に示すように、二階の建物ユニット１２の電気配線と接続される電気配線４４のみと接続されるようにしても良く、電気接続部４０と接続する電気配線は、各ユニット建物１０の仕様に応じて異なる。
【００４５】
一方、図３に示すように、固定金具３０には、電気接続部４０を間に置いて、その両側には直方体状の載置部４８が設けられており、該載置部４８上に蓄電池１６が載置可能とされる。また、固定金具３０の上面の固定片３２側には、一対のガイドピン５０が立設している。
【００４６】
ここで、図４及び図５（Ａ）に示すように、蓄電池１６の底部には、ガイド板５２が設けられており、ガイド板５２には、ガイドピン５０が挿通可能なガイド孔５４が形成されている。このガイド孔５４をガイドピン５０内へ外挿することで、該ガイドピン５０及びガイド孔５４を介して、蓄電池１６が固定金具３０の所定の位置へ案内される。
【００４７】
また、ガイド板５２の裏面からは、蓄電池１６に設けられ電気接続部４０に接続される被接続部５６が露出しており、蓄電池１６を載置部４８に載置させた状態で、蓄電池１６の被接続部５６が電気接続部４０に接続される。これにより、蓄電池１６が電気接続部４０を介して、電気配線４２、４４と電気的に接続され、該電気配線４２、４４を介して、一階の建物ユニット１２及び二階の建物ユニット１２の電気配線と電気的に接続される。
【００４８】
なお、上記電気配線４２、４４には、商用電力系統、太陽電池等の独立電源、或いは自動車の燃料電池の余剰電力等から受電するための配線や、蓄電池１６で溜めた電力を、ユニット建物１０で使用するエアコン、照明装置、プラグインハイブリッド車、自然冷媒ヒートポンプ給湯器等の負荷に給電するための配線等が含まれる。
【００４９】
つまり、蓄電池１６を使った建物用蓄電システムは、ユニット建物１０で使用する電気を蓄電及び給電する省エネ技術の一種である。例えば、この建物用蓄電システムを用いた場合、昼間はソーラーシステムで得られた電力等を蓄電池１６に蓄えると共に夜間は料金が安い深夜電力を蓄電池１６に蓄え、昼間の料金が高い時間帯に蓄電池１６で蓄電した電力を放電して利用するといった使い方ができる。
【００５０】
また、蓄電池１６としては、例えば、鉛蓄電池、ニッケル水素蓄電池、リチウムイオン蓄電池といった蓄電池が適用可能であるが、ニッケルカドミウム蓄電池等の他の蓄電池であってもよい。
【００５１】
ところで、蓄電池収納室１４の天井には、排気口（図示省略）が形成されており、この排気口を介して、蓄電池収納室１４と天井裏スペース（小屋裏になる場合は小屋裏スペース）とが相互に連通している。この排気口には、建物ユニット１２を隣接して配置した場合に元々形成される開口が利用される。
【００５２】
また、蓄電池収納室１４の床には、床下給気口（図示省略）が形成されており、この床下給気口を介して、蓄電池収納室１４と床下スペースとが相互に連通している。この床下給気口には、建物ユニット１２を隣接して配置した場合に元々形成される開口が利用される。
【００５３】
蓄電池１６は、充電する際に発熱したり、また、その際にガスを発生したりする場合もあり、蓄電池１６を冷却したり、発生するガスを除去するため、通気による放熱や換気を必要とすることから、上記のような排気口や床下給気口等が設けられる。
【００５４】
（作用・効果）
【００５５】
次に、本実施形態の作用並びに効果について説明する。
【００５６】
図２に示すように、本実施形態では、隣接する建物ユニット１２と建物ユニット１２の間に設けられたスペース１４を蓄電池収納室として利用し、この蓄電池収納室１４内に蓄電池１６が収納される。
【００５７】
一般に、建物ユニット１２と建物ユニット１２の間に設けられたスペースは、狭くて使い勝手が悪いので、有効に利用されずデッドスペースになることが多い。しかし、このようなスペースであっても、蓄電池１６を収納するための蓄電池収納室１４として用いることにより、ユニット建物１０内のデッドスペースの有効利用を図ることができ、また、居住スペースを犠牲にしなくて済む。
【００５８】
また、建物ユニット１２と建物ユニット１２の間に設けられたスペース１４を蓄電池収納室として利用し、該蓄電池収納室１４内に蓄電池１６を収納することで、例えば、一つの建物ユニット１２内で対面する床大梁２６と床大梁２６の間に蓄電池１６を収納する場合と比較して、蓄電池１６のサイズ、数量等設計の自由度を広げることができる。
【００５９】
なお、ここでは、隣接する建物ユニット１２の床大梁２６と床大梁２６の間に設けられたスペース１４を蓄電池収納室として利用したが、蓄電池（図示省略）のサイズが大きく、図１及び図２に示す建物ユニット１２間の床大梁２６と床大梁２６の間に設けられた蓄電池収納室１４内に該蓄電池が入らないという場合、上下に配置された建物ユニット１２において、二階の建物ユニット１２の床パネル２０の床面材２８と一階の建物ユニット１２の天井パネル１８の天井面材２４の間に設けられたスペース１５を蓄電池収納室として利用しても良い。
【００６０】
また、これ以外にも、建物ユニット１２と建物ユニット１２の間は、単位モジュールＭ（図７参照）の整数倍のスペースを設けることができるため、図６及び図７に示すように、建物ユニット１２と建物ユニット１２の間のスペースを広げ（蓄電池収納部５８）、この蓄電池収納部５８内に該蓄電池１７を収容することもできる。
【００６１】
さらに、本実施形態では、図２及び図３に示すように、建物ユニット１２間に設けられた蓄電池収納室１４に蓄電池１６を収納可能としている。これにより、既存物件に電力貯蔵システムを追加設定したい場合、建物ユニット１２と建物ユニット１２の間に架け渡された継ぎ板６０を開放すれば、該蓄電池収納室１４が露出するため、この蓄電池収納室１４内に蓄電池１６を収納させ、蓄電池１６の被接続部５６を固定金具３０の電気接続部４０に接続させるだけで良い。つまり、作業が容易である。
【００６２】
ここで、図８に示すように、建物ユニット１２を構成する天井大梁２２及び床大梁２６には、断熱材６２が設けられるが、建物ユニット１２と建物ユニット１２の間に断熱材６２を設け建物ユニット１２間に設けられた蓄電池収納室１４に蓄電池１６を収納することで、該蓄電池１６はユニット建物１０の断熱ライン内に配置されることとなる。このため、蓄電池１６の温熱劣化が少なく、蓄電池１６は長寿命となる。
【００６３】
一方、ユニット建物１０に蓄電池１６を複数配置させる場合もある。この場合、図９に示すように、床大梁２６の長手方向に沿って、固定金具６４を延出させ、該固定金具６４上に複数の蓄電池１６が固定可能となるようにする。
【００６４】
固定金具６４上には、一対のガイドピン５０及び電気接続部４０が蓄電池１６に対応して複数セット設けられており、電気接続部４０には、建物ユニット１２の電気配線（図示省略）と接続される電気配線６６がそれぞれ接続される。
【００６５】
ここで、固定金具６４には、電気配線６６を収容可能な収容溝６８が形成されている。電気配線６６は蓄電池１６の数だけ必要となり、固定金具６４上で配線が複雑となるため、各電気配線６６を収容溝６８内に収容し、これらの電気配線６６が邪魔にならないようにしている。
【００６６】
なお、本実施形態では、図３に示すように、固定金具３０に電気接続部４０を設け、該電気接続部４０に電気配線４２、４４を接続し、蓄電池１６の被接続部５６を電気接続部４０に接続させると、電気配線４２、４４を介して、一階の建物ユニット１２及び二階の建物ユニット１２の電気配線と電気的に接続されるようにしたが、蓄電池１６を建物ユニット１２の電気配線と電気的に接続させることができれば良いため、これに限るものではない。
【００６７】
図１２に示すように、隣接する建物ユニット１２（上下に配置された建物ユニット１２も略同じ）の電気配線７４、７５は、天井パネル１８内で天井大梁２２間や天井小梁７６間で引き回しされており、建物ユニット１２間の電気接続は、雄コネクタ７８と雌コネクタ８０の接続によって行われる。
【００６８】
この雄コネクタ７８と雌コネクタ８０を、建物ユニット１２間に設けられた蓄電池収納室１４内で接続させるようにする。一方、図９に示すように、蓄電池１６には三つ叉プラグ８２を接続させる。
【００６９】
したがって、既存物件に電力貯蔵システムを追加設定したい場合でも、雄コネクタ７８及び雌コネクタ８０の接続を外し、雄コネクタ７８及び雌コネクタ８０の間に三つ叉プラグ８２を配置して、該三つ叉プラグ８２を介して、雄コネクタ７８及び雌コネクタ８０が接続されるようにする。
【００７０】
これにより、蓄電池１６が電気配線７４、７５と電気的に接続されるようにしても良い。なお、図示はしないが、蓄電池１６と三つ叉プラグ８２の間には、インバータやコンバータが介在されており、交流を直流に変換したり、直流を交流に変換したりする。
【００７１】
ところで、蓄電池１６は数十Ｋｇの質量を有するため、この質量を利用し、図１０に示すように、蓄電池１６を上部の建物ユニット１２（二階の建物ユニット１２に限るものではない）の床大梁２６（天井大梁２２でも良い）に固定すると共に、蓄電池１６の下部に弾性体７０を設け、蓄電池１６を質量体とし、蓄電池１６を弾性的に支持して、マスダンパ７２として機能させるようにしても良い。これにより、建物ユニット１２において、制振機能が得られる。
【００７２】
このように蓄電池１６をマスダンパ７２として機能させる場合、各建物ユニット１２にこのマスダンパ７２を固定させるため、隣接する建物ユニット１２では、図１１に示すように、平面視でマスダンパ７２は千鳥状に配置されることとなる。
【００７３】
〔上記以外の実施形態〕
【００７４】
上記の実施形態では、図２に示すように、隣接して配置された建物ユニット１２の床大梁２６間の水平スペースを利用して、蓄電池１６を配置するようにしたが、建物ユニット１２と建物ユニット１２を連結することによって発生するデッドスペースを蓄電池収納室１４として利用することができれば良いため、これに限るものではない。
【００７５】
例えば、図１４に示すように、４つの建物ユニット１２の中央部に位置する柱１３と柱１３の間の鉛直スペースを利用して、蓄電池１６を配置しても良い。ここでは、図１５（Ａ）、（Ｂ）に示すように、上面８４Ａが柱１３及び柱１３を架け渡すようにして形成された略逆Ｕ字状の固定金具８４を用いている。
【００７６】
この固定金具８４の両側面８４Ｂの幅方向の両端側には孔部８５が形成されており、該孔部８５内へボルト３４が挿通された状態で、柱１３の側面に形成された固定孔１３Ａに該ボルト３４がねじ込まれ、固定金具８４が柱１３に固定される。
【００７７】
この状態で、固定金具８４の上面８４Ａに蓄電池１６を固定するようにする。ここで、電気配線４４は蓄電池１６の上部（下部からでも勿論良い）から引出されているが、この電気配線４４を床大梁２６側へ回り込ませるようにする。
【００７８】
また、固定金具として、これ以外にも、図１６に示すように、略Ｕ字状を成し、両端部には互いに離間する方向へ向かって張出す固定片８６Ａが形成された固定金具８６を用いても良い。
【００７９】
この場合、固定片８６Ａの幅方向の両端側には孔部８７が形成されており、該孔部８７内へボルト３４が挿通された状態で、柱１３の先端面に形成された固定孔１３Ｂに該ボルト３４がねじ込まれ、固定金具８６が柱１３に固定される。この状態で、固定金具８６内に蓄電池１６を挿入し固定するようにしても良い。
【００８０】
ところで、ユニット建物１０において、ワイドスパン工法が用いられる場合がある。このワイドスパン工法では、工場出荷時には建物ユニット１２に予め仮柱８８（図１７参照）を取り付けておくことで搬送性を確保し、建築地において建物ユニット１２を据え付けた後に該仮柱８８を撤去することで、広い空間が得られるようにしている。
【００８１】
ここで、仮柱８８を撤去するとその部分の強度が低下するが、それを補うために隣り合う天井大梁間に補強梁（図示省略）を挿入し、連結することで仮柱８８が受けるべき荷重を負担するようにしている。
【００８２】
このように、ワイドスパン工法では、本来撤去される仮柱８８であるが、この仮柱８８の配置位置に、中空の仕上げ材９２（ここでは角筒状であるが、円筒状であっても勿論良い）を後付けするようにしても良い。
【００８３】
そして、この仕上げ材９２の内部を蓄電池収容部９０として、蓄電池１６を収納する。この場合、蓄電池収容部９０内にラック（図示省略）を設けて、建物ユニット１２の高さ方向に沿って蓄電池１６を配置するようにしても良い。また、この仕上げ材９２の装飾により、居室スペースのデザイン性が向上する。
【符号の説明】
【００８４】
１０      ユニット建物
１２      建物ユニット
１３      柱（柱材）
１４      スペース（水平スペース）
１５      スペース（水平スペース）
１６      蓄電池
１７      蓄電池
２２      天井大梁（梁材）
２６      床大梁（梁材）
３０      固定金具（固定手段）
４０      電気接続部（接続手段）
４２      電気配線
４４      電気配線
５６      被接続部（電極）
５８      スペース（鉛直スペース）
６４      固定金具（固定手段）
６６      電気配線
７０      弾性体
７４      電気配線
７５      電気配線
８２      三つ叉プラグ（接続手段）
８４      固定金具（固定手段）
８６      固定金具（固定手段）
８８      仮柱
９０      蓄電池収容部（収容部）
９２      仕上げ材
【図１】
2010261225.tif 000003
【図２】
2010261225.tif 000004
【図３】
2010261225.tif 000005
【図４】
2010261225.tif 000006
【図５】
2010261225.tif 000007
【図６】
2010261225.tif 000008
【図７】
2010261225.tif 000009
【図８】
2010261225.tif 000010
【図９】
2010261225.tif 000011
【図１０】
2010261225.tif 000012
【図１１】
2010261225.tif 000013
【図１２】
2010261225.tif 000014
【図１３】
2010261225.tif 000015
【図１４】
2010261225.tif 000016
【図１５】
2010261225.tif 000017
【図１６】
2010261225.tif 000018
【図１７】
2010261225.tif 000019